(57)【要約】【課題】排紙された原稿に済みスタンプが印字されているかどうかを、音、音声、ＬＣＤのごとき表示器等を使用して確認することにより、済みスタンプの印字の判別を容易に実行する画像形成装置を提供する。【解決手段】ＡＤＦ１で原稿を読み取る画像形成装置において、原稿読み取り済みを知らせる済みスタンプ機能を使用して読み取りをする場合、その読み取りが正常に終了し、済みスタンプされたことを音や音声で知らせる機能を有する。【選択図】図１
2007251385.tif 000002
【特許請求の範囲】
【請求項１】
ＡＤＦで原稿を読み取る画像形成装置において、原稿読み取り済みを知らせる済みスタンプ機能を使用して読み取りをする場合、読み取りが正常に終了し、済みスタンプされたことを音や音声で知らせる済みスタンプ報知手段を有することを特徴とする画像形成装置。
【請求項２】
前記ＡＤＦで読み取りが正常に終了した時、済みスタンプされたことを音や音声により知らせ、かつ両面読み取り時、表面と裏面で音や音声を変更することを特徴とする請求項１記載の画像形成装置。
【請求項３】
ＡＤＦで原稿を読み取る画像形成装置において、原稿読み取り済みを知らせる済みスタンプ機能を使用して読み取りをする場合、読み取りが正常に終了し、済みスタンプされたことをＬＣＤ等の表示器で知らせる済みスタンプ報知手段を有することを特徴とする画像形成装置。
【請求項４】
前記ＡＤＦで読み取りが正常に終了した時、済みスタンプされたことをＬＣＤ等の表示器で知らせ、かつ両面読み取り時には表面と裏面とを前記ＬＣＤで表示することを特徴とする請求項３記載の画像形成装置。
【請求項５】
ＡＤＦで原稿を読み取る画像形成装置において、原稿読み取り済みを知らせる済みスタンプ機能を使用して読み取りをする場合、正常に読み取りが終了せず、済みスタンプできなかった場合にブザーなどの音や音声で知らせる済みスタンプ報知手段を有することを特徴とする画像形成装置。
【請求項６】
ＡＤＦで原稿を読み取る画像形成装置において、原稿読み取り済みを知らせる済みスタンプ機能を使用して読み取りをする場合、正常に読み取りが終了せず、済みスタンプできなかった場合にＬＣＤ等の表示器で知らせる済みスタンプ報知手段を有することを特徴とする画像形成装置。
【発明の詳細な説明】
【技術分野】
【０００１】
本発明は、ＡＤＦ（自動原稿送り装置）で済みスタンプ機能を使用する複写機、ファクシミリ、複合機などの画像形成装置に関するものである。
【背景技術】
【０００２】
通常、ファクシミリ、スキャナで原稿に済みスタンプを押印する場合、排紙された原稿に済みスタンプが印字されているかどうかを見て読み取りが正常に終了したか判断している。
また、両面読み取りで済みスタンプを使用した場合、済みスタンプ時のブザー音を聞いても、表面、裏面の違いが分からない。さらに、済みスタンプされたかどうかＬＣＤなどの表示でなく、排紙された原稿に済みスタンプが印字されているかどうかを見て読み取りが正常に終了したか判断するようにしている。
済みスタンプ機能を使用して読み取りを行なう場合、正常に読み取りが終了せず、済みスタンプできなかった時に、この状況を済みスタンプが印字されているかどうかを見て確認する必要がある。
【発明の開示】
【発明が解決しようとする課題】
【０００３】
しかしながら、ＡＤＦで済みスタンプ機能を使用して読み取りをする場合、排紙された原稿に済みスタンプが印字されているかどうかを判別するのに時間がかかるという問題がある。
そこで、本発明の目的は、上述した実情を考慮して、排紙された原稿に済みスタンプが印字されているかどうかを、音、音声、ＬＣＤ等の表示器等を使用して確認することにより、済みスタンプの印字の判別を容易に実行する画像形成装置を提供することにある。
【課題を解決するための手段】
【０００４】
上記の課題を解決するために、請求項１に記載の発明は、ＡＤＦで原稿を読み取る画像形成装置において、原稿読み取り済みを知らせる済みスタンプ機能を使用して読み取りをする場合、読み取りが正常に終了し、済みスタンプされたことを音や音声で知らせる済みスタンプ報知手段を有することを特徴とする。
また、請求項２に記載の発明は、前記ＡＤＦで読み取りが正常に終了した時、済みスタンプされたことを音や音声により知らせ、かつ両面読み取り時、表面と裏面で音や音声を変更する請求項１記載の画像形成装置を特徴とする。
また、請求項３に記載の発明は、ＡＤＦで原稿を読み取る画像形成装置において、原稿読み取り済みを知らせる済みスタンプ機能を使用して読み取りをする場合、読み取りが正常に終了し、済みスタンプされたことをＬＣＤ等の表示器で知らせる済みスタンプ報知手段を有することを特徴とする。
また、請求項４に記載の発明は、前記ＡＤＦで読み取りが正常に終了した時、済みスタンプされたことをＬＣＤ等の表示器で知らせ、かつ両面読み取り時には表面と裏面とを前記ＬＣＤで表示する請求項３記載の画像形成装置を特徴とする。
また、請求項５に記載の発明は、ＡＤＦで原稿を読み取る画像形成装置において、原稿読み取り済みを知らせる済みスタンプ機能を使用して読み取りをする場合、正常に読み取りが終了せず、済みスタンプできなかった場合にブザーなどの音や音声で知らせる済みスタンプ報知手段を有することを特徴とする。
また、請求項６に記載の発明は、ＡＤＦで原稿を読み取る画像形成装置において、原稿読み取り済みを知らせる済みスタンプ機能を使用して読み取りをする場合、正常に読み取りが終了せず、済みスタンプできなかった場合にＬＣＤ等の表示器で知らせる済みスタンプ報知手段を有することを特徴とする。
【発明の効果】
【０００５】
本発明によれば、排紙された原稿に済みスタンプが印字されているかどうかを見なくても、済みスタンプされたかどうかをブザー音又は音声で確認できる。
【発明を実施するための最良の形態】
【０００６】
以下、図面を参照して、本発明の実施の形態を詳細に説明する。図１は本発明を使用する自動原稿送り装置を搭載する複合機能フルカラーデジタル複写機システムを示す概略図である。図２は図１のフルカラー複写機のソフトを説明する概略図である。以下に、本発明の構成動作を説明する。図１には、本発明の実施の形態である画像形成装置として複合機能フルカラーデジタル複写機Ａ１の外観を示している。
図１に示すフルカラー複写機Ａ１は、大略で、自動原稿送り装置（ＡＤＦ）１と、操作ボード２と、カラースキャナ３と、カラープリンタ４と、給紙バンク５の各ユニットで構成されている。
ステープラ及び作像された用紙を積載可能なトレイ９付きのフィニッシャ６と、両面ドライブユニット７と、大容量給紙トレイ８は、カラープリンタ４に装着されている。給紙バンク５には、ＰＣ（パソコン）及びＰＢＸ（プライベート交換編みシステム）が接続されている。
図２において、複合機のソフトはコピー機能１２、ファクシミリ機能１３、スキャナ機能１４、プリンタ機能１５のアプリケーションからなるコントローラ１１と画像読み取り制御１７と画像形成制御１８からなるエンジン１６とＡＤＦ１から構成される。
コントローラ１１は表示部、操作部も制御しており、エンジン１６に画像読み取り要求、画像形成要求を出す。ＡＤＦ１を利用した画像読み取りの場合、エンジン１６がＡＤＦ１に対して給紙要求、読み取り要求、排紙要求などのコマンドを送り制御している。
【０００７】
図３はスキャナ及びこれに装着されたＡＤＦの原稿画像読み取り機構を示す概略図である。図３には、スキャナ３およびそれに装着されたＡＤＦ１の、原稿画像読み取り機構を示している。
先ず、コンタクトガラス２１上の手置き原稿の読み取りの場合には、スキャナ３のコンタクトガラス２１上に置かれた原稿は、照明ランプ２２により照明され、原稿の反射光（画像光）が第１ミラー２３で副走査方向ｙと平行に反射される。照明ランプ２２および第１ミラー２３は、図示しない副走査方向ｙに定速駆動される第１キャリッジに搭載されている。
第１キャリッジと同方向にその１／２の速度で駆動される、図示しない第２キャリッジには、第２および第３ミラー２４、２５が搭載されている。第１ミラー２３が反射した画像光は第２ミラー２４で下方向（ｚ）に反射され、そして第３ミラー２５で副走査方向ｙに反射される。
第３ミラー２５で副走査方向ｙに反射された画像光はレンズ２６により集束され、ＣＣＤ２７に照射され、電気信号に変換される。
第１および第２キャリッジは、走行体モータ２８を駆動源として、ｙ方向に往（原稿走査）、復（リタ−ン）駆動される。ＣＣＤ２７は、多数の光電変換素子が主走査方向に並んだ光電変換素子アレイを有し、この光電変換素子アレイの画像読み取り信号を主走査ライン区分で繰り返し出力する撮像素子である。
【０００８】
スキャナ３には、自動原稿送り装置ＡＤＦ１が装着されている。シートフィード方式の場合には、ＡＤＦ１の原稿トレイ２９に積載された原稿は、ピックアップローラ３０及びレジストローラ対３１で搬送ドラム３２と押さえローラ３３の間に送り込まれて、搬送ドラム３２に密着して読み取りガラス３４の上を通過する。
そして排紙ローラ３５、３６で、原稿トレイ２９の下方の圧板兼用の排紙トレイ３７上に排出される。原稿は、読み取りガラス３４を通過する際に、その直下に位置決めされて静止している照明ランプ２２により照射され、原稿の反射光は、第１ミラー２３以下の光学系を介してＣＣＤ２７に照射され光電変換される。
読み取りガラス３４と原稿始端の位置決め用のスケール３８との間には、白基準板３９、ならびに、第１キャリッジを検出する基点センサ４０がある。白基準板３９は、読み取りデータがばらつく現象を補正（シェーディング補正）するために用意されている。
かかるバラツキ現象は、照明ランプ２２の個々の発光強度のバラツキ、また、主走査方向のバラツキや、ＣＣＤ２７の画素毎の感度ムラ等が原因で、一様な濃度の原稿を読み取ったにもかかわらず発生する。
このシェーディング補正は、まず白基準板３９を原稿スキャン前に主走査方向１ライン分読み取り、この読み取った白基準データをメモリ（図示せず）に記憶し、原稿画像を読み取る時は、原稿をスキャンした画素毎に、画像データを前記メモリ上の対応する白基準データで割り算するものである。
【０００９】
ＡＤＦ１の原稿トレイ２９に原稿をセットし、スキャナ３をスタートすると、原稿が給紙されて、読み取りを開始する。読み取りを終了すると、ＡＤＦ１に済みスタンプ押下のコマンドを送りかつ印字する。
その時、ブザーを鳴らし、ユーザーに済みスタンプが終了したことを知らせる。これにより、排紙された原稿に済みスタンプが印字されているかどうかを見なくても、済みスタンプされたかどうかブザー音で確認できる。
ＡＤＦ１の原稿トレイ２９に原稿をセットし、スキャナ３をスタートすると、原稿が給紙されて、原稿の表面の読み取りを開始する。読み取りを終了すると、ＡＤＦ１に済みスタンプ押下のコマンドを送りかつ印字する。
その時、表面のブザーを鳴らしユーザーに済みスタンプが終了したことを知らせる。これにより、両面読み取りで済みスタンプを使用した場合、済みスタンプ時のブザー音で、表面、裏面どちらかで済みスタンプされたかが分かる。
そして、反転経路を経由して読み取り位置まで原稿を移動させ、裏面の読み取りを開始する。読み取りを終了すると、ＡＤＦ１に済みスタンプ押下のコマンドを送り印字し、その時、裏面用のブザーを鳴らしユーザーに済みスタンプが終了したことを知らせる。
【００１０】
図４は１枚目済みスタンプ押印画面を示す概略図である。ＡＤＦ１の原稿トレイ２９に原稿をセットし、スキャナ３をスタートすると原稿が給紙されて、読み取りを開始する。読み取りを終了すると、ＡＤＦ１に済みスタンプ押下のコマンドを送りかつ印字する。
その時、操作ボード２（図１）のＬＣＤ（液晶ディスプレイ）のごとき表示器２ａに済みスタンプ押下と図４のように表示し、済みスタンプが押印されたことを表示し、ユーザーに済みスタンプが終了したことを知らせる。これにより、排紙された原稿に済みスタンプが印字されているかどうかを見なくても、済みスタンプされたかどうかＬＣＤなどの表示で確認できる。
図５は１枚目表面済みスタンプ押印画面を示す概略図である。ＡＤＦ１の原稿トレイ２９に原稿をセットし、スキャナ３をスタートすると、原稿が給紙されて、原稿の表面の読み取りを開始する。読み取りを終了すると、ＡＤＦ１に済みスタンプ押下のコマンドを送りかつ印字する。
その時、ＬＣＤ表示器に表面済みスタンプ押印と図５のように表示し、表面に済みスタンプが押印されたことを知らせる。そして、反転経路を経由して読み取り位置まで原稿を移動させ、裏面の読み取りを開始する。
図６は１枚目裏面済みスタンプ押印画面を示す概略図である。読み取りを終了すると、ＡＤＦ１に済みスタンプ押下のコマンドを送りかつ印字する。ＬＣＤ表示器に裏面済みスタンプ押印と図６のように表示し、裏面の済みスタンプが押印されたことを知らせる。これにより、両面読み取りで済みスタンプを使用した場合、済みスタンプ時のＬＣＤ表示で、表面、裏面どちらかで済みスタンプされたか分かる。
【００１１】
図７は済みスタンプ非押印画面を示す概略図である。ＡＤＦ１の原稿トレイ２９に原稿をセットし、スキャナ３をスタートすると原稿が給紙されて、読み取りを開始する。
途中で原稿ジャムが発生し、読み取りを正常に終了できなかった場合、済みスタンプを押下できなかったことを意味するブザーを鳴らしユーザーに済みスタンプを押下できなかったことを知らせる。
これにより、ＡＤＦ１で済みスタンプ機能を使用して読み取りをする場合、正常に読み取りが終了せず、済みスタンプできなかった場合に、ブザー音により済みスタンプされなかったことが分かる。
ＡＤＦ１の原稿トレイ２９に原稿をセットし、スキャナ３をスタートすると、原稿が給紙されて、読み取りを開始する。途中で原稿ジャムが発生し、読み取りを正常に終了できなかった場合、済みスタンプを押下できなかったことをＬＣＤ表示器に図７のように表示し、ユーザーに済みスタンプを押下できなかったことを知らせる。
ＡＤＦ１で済みスタンプ機能を使用して読み取りをする場合、正常に読み取りが終了せず、済みスタンプできなかった場合にＬＣＤ表示器による表示により済みスタンプされなかったことが分かる。
【図面の簡単な説明】
【００１２】
【図１】本発明を使用する自動原稿送り装置を搭載する複合機能フルカラーデジタル複写機システムを示す概略図。
【図２】図１のフルカラー複写機のソフトを説明する概略図。
【図３】スキャナ及びこれに装着されたＡＤＦの原稿画像読み取り機構を示す概略図。
【図４】１枚目済みスタンプ押印画面を示す概略図。
【図５】１枚目表面済みスタンプ押印画面を示す概略図。
【図６】１枚目裏面済みスタンプ押印画面を示す概略図。
【図７】済みスタンプ非押印画面を示す概略図。
【符号の説明】
【００１３】
Ａ１  画像形成装置（複写機）、１  ＡＤＦ（自動原稿送り装置）、２  操作ボード、２ａ  表示器（ＬＣＤ）、３  スキャナ（画像読み取り装置）
【図１】
2007251385.tif 000003
【図２】
2007251385.tif 000004
【図３】
2007251385.tif 000005
【図４】
2007251385.tif 000006
【図５】
2007251385.tif 000007
【図６】
2007251385.tif 000008
【図７】
2007251385.tif 000009